(57)【特許請求の範囲】
【請求項１】
外装ケースで覆われた室外ユニットへ、ユニット間配管を介して複数の室内ユニットを接続するようにした空気調和装置において、
前記室外ユニットの外装ケースの隅部を開放可能に構成すると共に、この隅部に対応する外装ケースの内部にサービスバルブを取り付けるバルブ板を立てて設け、
前記バルブ板は、手前側と奥側とで互いに奥行き方向にずれる複数段の平面部を有し、これら手前側と奥側の平面部のうち、どちらか一方の平面部に太管用のサービスバルブを縦列に並べて設けると共に、他方の平面部に細管用のサービスバルブを縦列に並べて設け、かつ、前記バルブ板の複数段の平面部は、前記各サービスバルブが室外ユニットの斜め前方へ向くように前記室外ユニットの側面に対して所定角度だけ傾けられていること特徴とする空気調和装置。
【発明の詳細な説明】
【０００１】
【発明の属する技術分野】
本発明は、１台の室外ユニットと、複数台の室内ユニットとを複数系統のユニット間配管を接続して構成される空気調和装置に関し、特に室外ユニットに関する。
【０００２】
【従来の技術】
これまで、１台の室外ユニットと、複数台の室内ユニットを有し、各室内ユニットから延びたそれぞれのユニット間配管やユニット間配線を前記室外ユニットへ接続して構成する、いわゆるマルチ型の空気調和装置の前記室外ユニットは、前記ユニット間配管を接続するサービスバルブをその左右いずれかの側面上に突出して並べて設け、また、前記ユニット間配線は、前記サービスバルブが設けられた側面と同じ側面に設けられた配線口より前記室外ユニット内へ引き込んで接続されていた。
【０００３】
このため、前記各室内ユニットより延び、テーピングなどの処理によりまとめられ配設された前記ユニット間配管および、前記ユニット間配線は、前記室外ユニットの手前で、前記ユニット間配管と、前記ユニット間配線とに分け、前記ユニット間配管は、前記室外ユニットの側面上に設けられた前記サービスバルブへ前記室外ユニットの側面に突出したまま取り付けられ、前記ユニット間配線は、前記配線口を通して、前記室外ユニットへ接続されていた。このため、作業者は、前記室外ユニットの前記サービスバルブおよび、前記配線口のある側面側に位置して接続作業を行う必要があり、また、その作業スペースとしても前記室外ユニットのサービスバルブが位置する側面側に、この接続作業を行なうためのスペースが必要となっていた。
【０００４】
【発明が解決しようとする課題】
しかし、このタイプのマルチ型の空気調和装置では、室外ユニットが設置される場所が、開放された場所や、作業スペースを確保できるほど余裕のある場所に設置されるケースは少なく、柱と柱の間などの奥まった位置等の制限された場所へ設置されるケースが多いため、これまでの室外ユニットの側面にサービスバルブを突出して設けた室外ユニットでは、室外ユニットそのものは据付けられるものの、前記ユニット間配管や前記ユニット間配線の接続作業時は、作業工具を使用できるスペースの確保が難しく、苦労をしながらの作業を行なっていた。
【０００５】
そこで、本発明の目的は、室外ユニットへのユニット間配管やユニット間配線の接続作業を、前記室外ユニットの前面側からも行えるようにして、室外ユニット側面の必要作業空間を最小限とすることが可能な空気調和装置を提供することにある。
【０００６】
【課題を解決するための手段】
請求項１に記載の発明は、外装ケースで覆われた室外ユニットへ、ユニット間配管を介して複数の室内ユニットを接続するようにした空気調和装置において、前記室外ユニットの外装ケースの隅部を開放可能に構成すると共に、この隅部に対応する外装ケースの内部にサービスバルブを取り付けるバルブ板を立てて設け、前記バルブ板は、手前側と奥側とで互いに奥行き方向にずれる複数段の平面部を有し、これら手前側と奥側の平面部のうち、どちらか一方の平面部に太管用のサービスバルブを縦列に並べて設けると共に、他方の平面部に細管用のサービスバルブを縦列に並べて設け、かつ、前記バルブ板の複数段の平面部は、前記各サービスバルブが室外ユニットの斜め前方へ向くように前記室外ユニットの側面に対して所定角度だけ傾けられていること特徴とするものである。
【０００７】
【０００８】
【０００９】
【００１０】
【００１１】
【００１２】
【発明の実施形態】
以下、本発明の一実施形態について、図１から図５を参照しながら説明する。
【００１３】
まず、図１は、３台の室内ユニットから延びたそれぞれのユニット間配管や、ユニット間配線を１台の室外ユニットへ接続して構成する、いわゆる３室マルチ型の空気調和装置の冷媒回路について、その概略を示した図で、例えば、室外ユニット１は、冷媒を圧縮する圧縮機１０と、冷媒の循環方向を選択する四方弁１１と、外気との熱交換を行なう室外熱交換器１２と、各室内ユニットへ流通させる冷媒の流量を調節する室外電動弁１３ａ〜１３ｃと、アキュームレータ１５とを冷媒配管で接続して内蔵し、サービスバルブ１７ａ〜１７ｃを介して、ユニット間配管液管３ａ〜３ｃ（以下液管と言う）のそれぞれへ接続し、サービスバルブ１８ａ〜１８ｃを介して、ユニット間配管ガス管４ａ〜４ｃ（以下ガス管と言う）のそれぞれへ接続している。さらに、前記室外熱交換器１２への送風を行う室外送風機１４を内蔵し、圧縮機１０と、四方弁１１と、室外電動弁１３ａ〜１３ｃと、室外送風機１４との運転の制御や、後述する室内ユニット２ａ〜２ｃとの通信を行なう室外制御部１６を備えている。
【００１４】
また、室内ユニットは、例えば、室内ユニット２ａで説明すると、冷媒の減圧を行なう室内電動弁２０ａと、室内空気との熱交換を行なう室内熱交換器２１ａとを冷媒配管で接続して内蔵し、さらに、この室内熱交換器２１ａへの送風を行なう室内送風機２２ａを内蔵し、室内電動弁２０ａと、室内送風機２２ａとの運転の制御や、上述の室外ユニット１との通信を行なう室内制御部２３ａを備えている。
【００１５】
そして、室内ユニット２ａから延びた液管３ａと、ガス管４ａとは、それぞれ室外ユニット１のサービスバルブ１７ａおよび１８ａへ接続され、室内制御部２３ａから延びたユニット間配線５ａは、図示していないが、室外ユニット１内に設けられた端子板を経由して、室外制御部１６へ接続されている。
【００１６】
室内ユニット２ｂおよび２ｃは、室内ユニット２ａと同様であるため、説明は省略する。
【００１７】
次に、図２を参照して説明すると、図２は、本発明によるユニット間配管やユニット間配線の接続作業を室外ユニットの前面から作業可能とし、前記室外ユニット側面の必要作業空間を最小限とすることが可能な空気調和装置の概略を示した図で、例えば、筐体については、天面を覆う外装ケース３０と、熱交換器室４０の前面を覆う外装ケース３１と、機械室４１の前面から側面の前半を覆う外装ケ-ス３２と、前記機械室４１の側面の後半から背面を覆う外装ケース３３と、この外装ケース３３下部の一部を覆い、ユニット間配管の取り出しとして、パチングホール状に加工され、開放可能な切り欠き３９を設けた小パネル３４と、底面板３５とで構成されており、外装ケース３１には、熱交換を行った空気を排出する排出口３６が設けられ、この排出口３６には、その奥の熱交換器室４０へ石などの障害物が侵入し、回転する室外送風機１４が破損しないためや、誤って指などを入れ怪我などの事故に至らない様にするため、吹出しグリル３７が設けられており、外装ケース３２および３３には、この室外ユニット１を運搬あるいは、据付け作業を行なう時の取っ手３８が設けられている。
【００１８】
そして、これら外装ケース３１〜３４は、底面板３５に取り付けられ、天面を前記天面板３０で覆って、この室外ユニット１の筐体が組立てられている。
【００１９】
底面板３５には、その下面に、この室外ユニット１の据付けの支持となる台座４２が、底面板３５の長手方向の両端付近で、この方向と直交する方向に向けて設けられ、上面は、室外ユニット１の熱交換器室４０と、機械室４１と、その機械室４１の上の室外電装箱４３との各部品を載置して、これらを支持している。
【００２０】
室外ユニット１の内部は、Ｌの字型に近い形に曲げられた垂直方向に延びる仕切板４４で、熱交換器室４０と、機械室４１とに分割され、一方の熱交換器室４０には、室外送風機１４と、一端を底面板３５上に固定され、他端を室外熱交換器１２に掛止された室外送風機１４を支持する室外送風機アングル４５と、室外熱交換器１２とが、底面板４上に載置されて内蔵され、他方の機械室４１には、主な部品として、圧縮機１０と、アキュームレータ１５と、四方弁１１と、室外電動弁１３ａ〜１３ｃとが冷媒配管で接続されて底面板３５上に載置されて内蔵され、各室内ユニット２ａ〜２ｃからのユニット間配管３ａ〜３ｃおよび、４ａ〜４ｃを接続するためのサービスバルブ１７ａ〜１７ｃおよび、１８ａ〜１８ｃがバルブ板４８に取り付けられている。
【００２１】
このバルブ板４８は、圧縮機１０を基準に、機械室４１の仕切板４４とは反対の位置で、底面板３５の機械室４１側の側端部より、やや仕切板４４寄りの位置に、室外ユニット１の側面に対し、おおよそ４５度の角度を設けて、斜め前方を向けて取り付けられている。これは、図示して後述するが、ユニット間配管３ａ〜３ｃおよび、４ａ〜４ｃは、小パネル３４に設けられた開放可能な切り欠き３９を開放して、室外ユニット１の機械室４１の背面より通され、底面板３５の機械室４１側の側端部付近を延在され、サービスバルブ１７ａ〜１７ｃおよび、１８ａ〜１８ｃへ接続されるため、その冷媒配管の通路を確保するためである。
【００２２】
そして、機械室４１の上部には、各室内ユニット２ａ〜２ｃへの電源供給および、通信を行なうユニット間配線を接続するための端子板４６ａ〜４６ｃと、本空気調和装置が電源供給を受けるための電源端子板４７と、室外制御部１６とを載置した室外電装箱４３が設けられている。
【００２３】
バルブ板４８について詳細に説明すると、図３に示す様に、このバルブ板４８は、１枚の平板状の鉄板やステンレスなどを曲げて加工したもので、略Ｌの字型をしており、底面部５０は、底面板３５へ取り付けられる。この固定方法は、特に図示はしていないが、底面板３５上へ孔を設け、この孔と、このバルブ板４８の底面部５０に設けられた孔５２とへボルトを挿通させ、ナットで固定される。
【００２４】
このバルブ板４８の底面板３５への取り付け方法は、特にこれに限らず、溶接などで固定することも可能である。また、直立したバルブ取り付け部５１は、横方向に段を付けた２段の平面により構成されており、取り付け部５１ａへは、ガス管４ａ〜４ｃを接続するサービスバルブ１８ａ〜１８ｃが、この取り付け板５１ａの端部より、フレアナット部が突出する位置に取り付けられ、取り付け部５１ｂへは、液管３ａ〜３ｃを接続するサービスバルブ１７ａ〜１７ｃが、サービスバルブ１８ａ〜１８ｃと同様、取り付け部５１ｂの端部より、フレアナット部が突出する位置に取り付けられている。
【００２５】
これは、本来、スパナなどの工具を使用する際、前記工具の推奨された位置に対象物を係合し、作業を行なうことが、前記工具へ係る負荷や、作業の安全性の面からも基本のところであるが、昨今、サービスバルブも小型化されおり、前記フレアナット部と、取り付け部５１ａ、５１ｂとのクリアランスを十分設けることが出来ないため、前記フレアナット部が前記取り付け部５１ａ、５１ｂの端部より突出した位置へサービスバルブ１７ａ〜１７ｃ、１８ａ〜１８ｃを配設し、取り付け部５１ａ、５１ｂと、前記工具とが干渉しない位置としている。
【００２６】
図４および図５を参照して説明すると、図４および図５は、見易くするため、主な冷媒回路部品のみを記載し、前記冷媒回路部品を接続する一部冷媒配管などは省略している図で、図４では、室内ユニット２ａ〜２ｃからのユニット間配管も室内ユニット２ａのもののみを記載して説明する。もちろん、実際の設置に際しては、上記室内ユニット２ａ同様に、室内ユニット２ｂおよび、２ｃも接続されるものである。
【００２７】
図４は、上記バルブ板４８を底面板３５へ取り付け、液管３ａと、ガス管４ａとを接続した図で、バルブ板４８を底面板３５の前記側端部よりやや仕切板４４寄りの前面の位置へ、室外ユニット１の側面に対し、おおよそ４５度の角度を設けて、斜め前方を向けて取り付けている。
【００２８】
これにより、室外ユニット１の後方より侵入して来た各室内ユニット２ａからの液管３ａと、ガス管４ａとをバルブ板４８まで室外ユニット１内へ延在させることが出来る。
【００２９】
また、図４の様に、柱と柱との間などの奥まった場所に、この室外ユニット１が設置された場合、外装ケース３２を取り外して、室外ユニット１の機械室４１前面を開放し、上記液管３ａと、ガス管４ａとをサービスバルブ１７ａおよび、１８ａへ接続するフレア加工部の手前で、圧縮機１０の方向へ斜めに曲げ、破線矢印Ａの様に斜め手前の方向からスパナや、モンキーレンチなどの工具を差し込み、サービスバルブ１７ａおよび、１８ａのフレアナット５３および、５４を締めて接続することは可能である。
【００３０】
ここで、バルブ板４８を底面板３５へ取り付ける角度を本実施形態では、室外ユニット１の側面に対し、おおよそ４５度の角度を設けて、斜め前方を向けて取り付けているとしているが、特に４５度前方と、限定する必要は無い。ただし、４５度以下の角度であると、サービスバルブ１７ａおよび、１８ａは、室外ユニット１の側方を向いてしまい、フレアナット５３および、５４は、後方を向いてしまうため、スパナや、モンキーレンチなどの工具を破線矢印Ａの様に斜め手前の方向より差し込み、フレアナット５３および、５４を挟むことが難しくなってしまい、４５度以上の角度であると、前記液管３ａおよび、ガス管４ａ先端の前記フレア加工部の手前で曲げる角度がきつくなる。据付け現場での作業のし易さや、加工作業の確実さを考えると、前記液管３ａおよび、ガス管４ａの曲げ半径を大きくする必要が出てくるため、前記フレア加工部の位置は、機械室４１内の仕切板４４へ近づいた位置となってしまい、バルブ板４８も図４に示す位置より、仕切板４４に近い位置へ設ける必要が出てくる。そして、前記液管３ａおよび、ガス管４ａの接続作業は、ほぼ、室外ユニット１の前面のみで作業が行なえるため、室外ユニット側面の必要作業空間を最小限とすることができる。
【００３１】
しかし、万が一、圧縮機１０が故障した場合、バルブ板４８が圧縮機１０のほぼ前面の位置となってしまうため、この圧縮機１０の点検はもちろん、交換作業も大掛かりなものとなってしまう。
【００３２】
このため、本実施形態では、バルブ板４８の取り付け角度を、室外ユニット１の側面に対し、ほぼ４５度前方を向いた角度として説明して来た。少なくとも、このバルブ板４８を取り付ける角度としては、必ずしも４５度前方を向いた角度である必要は無いが、このバルブ板４８の向きにより発生する問題を考慮すると、これに近い角度とすることが必要となる。
【００３３】
次に、図５を参照して説明すると、図５は、室外ユニット１の機械室４１の前面を覆う外装ケース３２を取り外し、機械室４１を前面から見た図で、この室外ユニット１の外装ケース３２を取り外すと、機械室４１と、室外制御部１６を内蔵した室外電装箱４３が露出する。
【００３４】
室外電装箱４３は、天面板３０下の機械室４１の上部に位置して取り付けられており、この室外電装箱４３の前面と、図示はしていないが、裏面とには、よろい窓５５が設けられ、内蔵された電装部品の冷却を行なっている。また、この室外電装箱４３の底面板は、後方より前記前面の手前まで水平に延び、垂直に下方へ曲げられて、端子板４６ａ〜４６ｃと、電源端子板４７とを前面へ向けて支持する支持台５６となっている。
【００３５】
この端子板４６ａ〜４６ｃおよび、電源端子板４７の上方に位置する室外電装箱４３の底面は、開放されており、ここから前記端子板４６ａ〜４６ｃおよび、前記電源端子板４７からの配線を室外電装箱４３内へ引き込み、室外制御部１６へと接続されている。
【００３６】
この端子板４６ａ〜４６ｃへは、この室外ユニット１の背面下方よりユニット間配管の液管３ａ〜３ｃおよび、ガス管４ａ〜４ｃとともに侵入させて来た各室内ユニット２ａ〜２ｃへの電源供給と、通信を行なうためのユニット間配線５ａ〜５ｃを外装ケース３３の前端のほぼ中央付近に設けられたケーブルクランパ５７により、一旦、支持させて、接続している。同様に室外ユニット１へ電源供給を行なう電源配線も上記ユニット間配線と同様に配設して、端子板４７へ接続している。
【００３７】
もちろん、この配線作業は、上記の様に支持台５６上に取り付けられた端子板４６ａ〜４６ｃは、前面を向いているため、作業者は、室外ユニット１の前面側に位置して、作業を行なうことが可能である。
【００３８】
そして、室内ユニット２ａ〜２ｃより延びたユニット間配管の液管３ａおよび、ガス管４ａは、上述の様にサービスバルブ１７ａおよび、１８ａへ接続されているが、同様に室内ユニット２ｂおよび、２ｃから延びたユニット間配管の液管３ｂおよび、３ｃと、ガス管４ｂおよび、４ｃもサービスバルブ１７ｂおよび、１７ｃと、１８ｂおよび、１８ｃへ接続される。この時も、上述の様に、スパナやモンキーレンチは、斜め手前から使用出来るため、作業者は、室外ユニット１の前面に位置したまま作業を行なうことが可能である。
【００３９】
次に、図４、図６〜図１０を参照して、配管取出口を形成する小パネルについて説明する。図６は室外ユニットの配管取出口付近の背面図、図７は室外ユニットの配管取出口付近を背面から見た斜視図である。
【００４０】
図４、図７において、室外ユニット１の背面右下部には、外装ケース３３の切り欠き６１が形成され開放可能になっている。この切り欠き６１には、室外ユニット１に接続される配管類Ａ（ユニット間配管３ａ、４ａおよびユニット間配線５ａをテーピング処理してまとめたもの）と、配管類Ｂ（ユニット間配管３ｂ、４ｂおよびユニット間配線５ｂをテーピング処理してまとめたもの）と、配管類Ｃ（ユニット間配管３ｃ、４ｃおよびユニット間配線５ｃをテーピング処理してまとめたもの）との３系統の配管類がそれぞれ縦方向に直列に配設されて後方に延出している。これら配管類Ａ、Ｂ、Ｃは、右側を切り欠き６１で押えられ、上下左側を切り欠き３９で押えるようにして小パネル３４が取り付けられる。外装ケース３３の切り欠き６１と小パネル３４の切り欠き３９とから配管取出口６７が構成され、この配管取出口６７は３系統の配管類が通されることにより隙間がないようになっている。
【００４１】
ところで、本空気調和装置は、図８で示すように、３室用の室外ユニット１に２台の室内ユニット２ａ、２ｃを接続する場合があり、配管取出口６７には２系統分の配管類Ａ、Ｃが通過して残り１系統分の開放面が生じる。このため、残りの開放面を塞ぐように閉鎖カバー６３が取り付けられる。
【００４２】
ここで、前記小パネル３４と閉鎖カバー６３について説明する。図６、図８において、小パネル３４は、Ｌ字状に形成された金属製の板で、一方の板面３４ｅには外装ケース３３の切り欠き６１の上縁と底面板３５とへ取り付けるための複数のねじ孔６４、６４・・が設けられ、他方の板面３４ｆには外装ケース３３の切り欠き６１の側縁を挟持して固定する上下２ヵ所の固定部６５、６６が設けられている。両固定部６５、６６の間には、Ｕ字形の前記切り欠き３９が設けられ、この切り欠き３９の側縁には前記閉鎖カバー６３固定用の３つのねじ孔６８ａ、６８ｂ、６８ｃが設けられている。
【００４３】
前記閉鎖カバー６３は、右側に３つの突出片を有する略Ｅの字状の金属板で、一方の側縁には前記小パネル３４の切り欠き３９の縁を押えるストッパー７１、７１と小パネル３４に取り付けるためのねじ孔７２が形成され、他方側の真中の突出片７３が外装ケース３３の縁を挟持するように形成されている。
【００４４】
このように、室外ユニット１に外装ケース３３の切り欠き６１と小パネル３４の切り欠き３９とで構成される配管取出口６７を設け、３つの系統の配管類Ａ、Ｂ、Ｃのうち、いずれかの系統（例えば配管類Ｃ）を接続しない場合には、配管取出口６７に生じる残りの開放面を塞ぐための閉鎖カバー６３を取り付けるようにしたので、配管類Ａ、Ｂをしっかりと押えることができるとともに、配管取出口６７の残りの開放面が塞がれ、ねずみ等の小動物やゴキブリ等の虫の侵入を防いで、故障の原因を減らすことができる。
【００４５】
そして、前記小パネル３４および閉鎖カバー６３が、ドライバーのみの使用で取り付けることができるので、作業者が室外ユニット１の上方、または、前方および後方から作業することができる。これにより室外ユニット１の側面の必要作業空間を最小限にすることができる。
【００４６】
図９は、室内ユニット２ａ、２ｂへユニット間配管を接続した場合における室外ユニットの配管取出口付近の背面斜視図である。配管取出口６７には２系統分の配管類Ａ、Ｂが通過して残り１系統分の開放面が生じるため、この残りの開放面を塞ぐように閉鎖カバー６３が取り付けられる。これにより、残りの開放面が塞がれ、ねずみ等の小動物やゴキブリ等の虫の侵入を防ぐことができる。
【００４７】
図１０は、室内ユニット２ｂ、２ｃへユニット間配管を接続した場合における室外ユニットの配管取出口付近の背面斜視図である。配管取出口６７には２系統分の配管類Ｂ、Ｃが通過して残り１系統分の開放面が生じるため、この残りの開放面を塞ぐように閉鎖カバー６３が取り付けられる。これにより、残りの開放面が塞がれ、ねずみ等の小動物やゴキブリ等の虫の侵入を防ぐことができる。
【００４８】
なお、本実施形態では、３台の室内ユニットから延びたユニット間配管および、ユニット間配線を１台の室外ユニットへ接続して構成する３室マルチ型の空気調和装置で説明して来たが、本発明は、特にこの３室マルチ型の空気調和装置に限定したもので無く、前記室外ユニット１における機械室４１内の冷媒配管系統の設計を変更し、バルブ板４８に取り付けるサービスバルブの個数と、バルブ板４８の高さとを変更することにより、３室以上の室内ユニットあるいは、３室以下の室内ユニットに対応した空気調和装置とすることが可能である。
【００４９】
また、４室以上のマルチ型空気調和装置の配管取出口６７において、２系統以上の配管類が接続されない場合がある。この場合には生じた開放面のそれぞれに閉鎖カバー６３を取り付けることにより、２系統以上の開放面でも塞ぐことができる。
【００５０】
【発明の効果】
以上説明したように、請求項１に記載の空気調和装置によれば、室外ユニットの外装ケースの隅部を開放可能に構成すると共に、この隅部に対応する外装ケースの内部にサービスバルブを取り付けるバルブ板を立てて設け、前記バルブ板は、手前側と奥側とで互いに奥行き方向にずれる複数段の平面部を有し、これら手前側と奥側の平面部のうち、どちらか一方の平面部に太管用のサービスバルブを縦列に並べて設けると共に、他方の平面部に細管用のサービスバルブを縦列に並べて設け、かつ、前記バルブ板の複数段の平面部は、前記各サービスバルブが室外ユニットの斜め前方へ向くように前記室外ユニットの側面に対して所定角度だけ傾けられている構成であるから、室外ユニットへのユニット間配管の接続作業を、室外ユニットの前面側からも行なうことが可能になり、室外ユニット側面の必要作業空間を最小限とすることが可能である。
【００５１】
【図面の簡単な説明】
【図１】  各室内ユニットから延びたユニット間配管や、ユニット間配線を室外ユニットへ接続するマルチ型の空気調和装置の冷媒回路の概略を示した図である。
【図２】  本発明による冷媒配管や通信配線の接続作業を前面から作業可能とした室外ユニット１の概略を示した図である。
【図３】  本発明によるバルブ板にサービスバルブを取り付けて示した図である。
【図４】  図３に示したバルブ板を室外ユニットに取り付け、ユニット間配管の接続を示した概略図である。
【図５】  室外ユニットの機械室前面を覆う外装ケースを取り外し、機械室を前面から見た図である。
【図６】  室外ユニットの配管取出口付近の背面図である。
【図７】  室内ユニットへのユニット間配管を接続した場合の、室外ユニットの配管取出口付近の背面斜視図である。
【図８】  室内ユニットへユニット間配管を接続した場合の、室外ユニットの配管取出口付近の背面斜視図である。
【図９】  室内ユニットへユニット間配管を接続した場合の、室外ユニットの配管取出口付近の背面斜視図である。
【図１０】  室内ユニットへユニット間配管を接続した場合の、室外ユニットの配管取出口付近の背面斜視図である。
【符号の説明】
１  室外ユニット
２ａ〜２ｃ  室内ユニット
３ａ〜３ｃ  ユニット間配管（液管）
４ａ〜４ｃ  ユニット間配管（ガス管）
５ａ〜５ｃ  ユニット間配線
１０  圧縮機
１２  室外熱交換器
１４  室外送風機
１６  室外制御部
１７ａ〜１７ｃ  サービスバルブ（液管）
１８ａ〜１８ｃ  サービスバルブ（ガス管）
３０  外装ケース（天面板）
３１  外装ケース（熱交換器室）
３２  外装ケース（機械室前面）
３３  外装ケース（機械室背面）
３４  小パネル
３９  切り欠き
４０  熱交換器室
４１  機械室
４３  室外電装箱
４４  仕切板
４６ａ〜４６ｃ  端子板（ユニット間配線）
４７  電源端子板
４８  バルブ板
５０  底板
５１ａ  取り付け部（一方の平面部）
５１ｂ  取り付け部（他方の平面部）
５３  フレアナット（液管）
５４  フレアナット（ガス管）
５６  支持台
６１  切り欠き
６３  閉鎖カバー
６７  配管取出口
Ａ、Ｂ、Ｃ  配管類
【図１】
0003831697.tif 000002
【図２】
0003831697.tif 000003
【図３】
0003831697.tif 000004
【図４】
0003831697.tif 000005
【図５】
0003831697.tif 000006
【図６】
0003831697.tif 000007
【図７】
0003831697.tif 000008
【図８】
0003831697.tif 000009
【図９】
0003831697.tif 000010
【図１０】
0003831697.tif 000011